(57)【要約】      （修正有）【課題】タブレット型端末を保持するケースで効率よく放熱することができるタブレット型端末載置用の放熱性ケースを提供する。【解決手段】ケース本体（Ａ）と、金属製放熱板（Ｂ）と、金属製放熱フィン（Ｃ）とを備える。ケース本体（Ａ）は、表面に画面が露出されたタブレット型端末２がその裏面３で載置される基板部４と、タブレット型端末が少なくとも２辺で保持されるように基板部の側部に配置された固定部５と、保持されたタブレット型端末に接続するように固定部に具備された端子部６を有する。基板部には、タブレット型端末の裏面より小さな面積の貫通孔７と、この貫通孔を挟むように設けられた１対の支持脚８と、タブレット型端末の操作時には、支持脚よりも手前となる位置に延設されたハンドグリップ９が設けられ、貫通孔には金属製放熱板（Ｂ）が挿入支持される。【選択図】図１
0003192387.tif 000002
【実用新案登録請求の範囲】
【請求項１】
タブレット型端末載置用の放熱性ケースであって、ケース本体（Ａ）と、金属製放熱板（Ｂ）と、金属製放熱フィン（Ｃ）とを備え、
ケース本体（Ａ）は、表面に画面が露出されたタブレット型端末がその裏面で載置される基板部と、タブレット型端末が少なくとも２辺で保持されるように基板部の側部に配置された固定部と、前記保持されたタブレット型端末に接続するように固定部に具備された端子部を有するとともに、
基板部には、タブレット型端末の裏面より小さな面積の貫通孔と、この貫通孔を挟むように設けられた１対の支持脚と、タブレット型端末の操作時には、支持脚よりも手前となる位置に延設されたハンドグリップが設けられ、
前記貫通孔には金属製放熱板（Ｂ）が挿入支持され、
ケース本体（Ａ）の基板部の裏面側には金属製放熱フィン（Ｃ）が配設されて前記金属製放熱板（Ｂ）と熱導通され、金属製放熱フィン（Ｃ）より放熱可能とされている
ことを特徴とするタブレット型端末載置用の放熱性ケース。
【請求項２】
前記支持脚の設置面からの高さが、前記放熱フィンの高さよりも高いことを特徴とする請求項１に記載のタブレット型端末載置用の放熱性ケース。
【請求項３】
前記ハンドグリップが回動して、タブレット型端末の画面を立設させるスタンドの脚として用いることを特徴とする請求項１または２に記載のタブレット型端末載置用の放熱性ケース。
【請求項４】
前記金属製放熱板と金属製放熱フィンがアルミ製であることを特徴とする請求項１から３のいずれか一項に記載のタブレット型端末載置用の放熱性ケース。
【請求項５】
前記固定部が、その内周部にタブレット型端末の当接長さを可変とするすべり出しを備えることを特徴とする請求項１から４のいずれか一項に記載のタブレット型端末載置用の放熱性ケース。
【請求項６】
前記端子部が、タブレット型端末の充電、音声出力、データ転送からなる群のうち少なくとも１つの機能を備えていることを特徴とする請求項１から５のいずれか一項に記載のタブレット型端末載置用の放熱性ケース。
【請求項７】
前記ケース本体（Ａ）の側面に、タブレット型端末の外部拡張端子に物理的に接続可能な側面開口部を備えることを特徴とする請求項１から６のいずれか一項に記載のタブレット型端末載置用の放熱性ケース。
【考案の詳細な説明】
【技術分野】
【０００１】
本考案は、タブレット型端末載置用の放熱性ケースに関する。
【背景技術】
【０００２】
近年、パソコンと同様の高機能を備えた携帯電話であるスマートフォンが急速に普及している。スマートフォンは、従来の携帯電話機能のみならず、ゲームやアプリケーションソフトウェア等の機能を利用することが可能である。ただ、スマートフォンは、長時間にわたってゲームやテレビ電話等の負荷が大きい機能を使用するとスマートフォン本体の温度が上昇することが知られている。このため、使用者がやけどを負ったり、機器の動作不良や故障、最悪の場合発火する等の事例も発生している。同様のことはゲーム用の通信端末においても発生している。
【０００３】
そこで、これまでにスマートフォンやゲーム用通信端末、パッドタイプ等のいわゆるタブレット型端末の熱を効果的に放熱させることが出来るタブレット型端末用保護カバーが提案されている（特許文献１）。
【０００４】
特許文献１に記載されたタブレット型端末用保護カバーは、（I）タブレット型端末の表面を露出させる大きさの開口部を有し、側面にタブレット型端末の周囲を覆うように配置されタブレット型端末を収納保持する保護エッジを有し、背面にほぼタブレット型端末の背面を露出させる大きさの開口部を有するカバー本体と、（II）上記カバー本体（I）の内部にタブレット型端末から発生する熱を放熱させる金属板状の放熱板とを具備している。上記放熱板（II）は、タブレット型端末の背面側に配置され、カバー本体（I）の内部に収納されたタブレット型端末が載置されるようにしている。
【先行技術文献】
【特許文献】
【０００５】
【特許文献１】実用新案登録第３１８２６５９号公報
【考案の概要】
【考案が解決しようとする課題】
【０００６】
しかしながら、特許文献１に記載されたタブレット端末用保護カバーにおいては、放熱板がタブレット端末用保護カバーの背面の大部分を占めているため、このタブレット端末用保護カバーにタブレット型端末を収納保持し、使用者がタブレット型端末を手に取ると、使用者の指が確実に放熱板に接触することになる。このため、タブレット型端末で長時間に渡って負荷が大きい機能を使用し続けると、放熱板自体の表面温度が上昇し、使用者が不快感を覚えたり、ゲーム等に集中しづらい等の問題が指摘される。
【０００７】
本考案は、以上のとおりの事情に鑑みてなされたものであり、タブレット型端末を保持するケースで効率よく放熱することができるとともに、長時間でも不快感を覚えることなく使用できる改善された新しいタブレット型端末載置用の放熱性ケースを提供することを課題としている。
【課題を解決するための手段】
【０００８】
上記の課題を解決するために、本考案のタブレット型端末載置用の放熱性ケースは、以下のことを特徴としている。すなわち、本考案のタブレット型端末載置用の放熱性ケースは、ケース本体（Ａ）と、金属製放熱板（Ｂ）と、金属製放熱フィン（Ｃ）とを備え、ケース本体（Ａ）は、表面に画面が露出されたタブレット型端末がその裏面で載置される基板部と、タブレット型端末が少なくとも２辺で保持されるように基板部の側部に配置された固定部と、前記保持されたタブレット型端末に接続するように固定部に具備された端子部を有するとともに、基板部には、タブレット型端末の裏面より小さな面積の貫通孔と、この貫通孔を挟むように設けられた１対の支持脚と、タブレット型端末の操作時には、支持脚よりも手前となる位置に延設されたハンドグリップが設けられ、前記貫通孔には金属製放熱板（Ｂ）が挿入配置され、ケース本体（Ａ）の基板部の裏面側には金属製放熱フィン（Ｃ）が配設されて前記金属製放熱板（Ｂ）と熱導通され、金属製放熱フィン（Ｃ）より放熱可能とされていることを特徴とする。
【０００９】
このタブレット型端末載置用の放熱性ケースにおいては、支持脚の設置面からの高さが、放熱フィンの高さよりも高いことが好ましい。
【００１０】
このタブレット型端末載置用の放熱性ケースにおいては、ハンドグリップが回動して、タブレット型端末の画面を立設させるスタンドの脚として用いることが好ましい。
【００１１】
このタブレット型端末載置用の放熱性ケースにおいては、金属製放熱板と金属製放熱フィンがアルミ製であることが好ましい。
【００１２】
このタブレット型端末載置用の放熱性ケースにおいては、固定部が、その内周部にタブレット型端末の当接長さを可変とするすべり出しを備えることが好ましい。
【００１３】
このタブレット型端末載置用の放熱性ケースにおいては、端子部が、タブレット型端末の充電、音声出力、データ転送からなる群のうち少なくとも１つの機能を備えていることが好ましい。
【００１４】
このタブレット型端末載置用の放熱性ケースにおいては、ケース本体部（Ａ）の側面に、タブレット型端末の外部拡張端子に物理的に接続可能な側面開口部を備えることが好ましい。
【考案の効果】
【００１５】
本考案のタブレット型端末載置用の放熱性ケースによれば、タブレット型端末を保持するケースで効率よく放熱することができるとともに、長時間でも不快感を覚えることなく使用できる。
【図面の簡単な説明】
【００１６】
【図１】本考案の一実施形態を示す図で、タブレット型端末とケース本体（Ａ）と金属製放熱板（Ｂ）と金属製放熱フィン（Ｃ）を分解した状態を示す斜視図である。
【図２】本考案の一実施形態を示す図で、ケース本体（Ａ）と金属製放熱板（Ｂ）と金属製放熱フィン（Ｃ）を組み立てた状態を示す斜視図である。
【図３】本考案の一実施形態を示す図で、タブレット型端末とケース本体（Ａ）と金属製放熱板（Ｂ）と金属製放熱フィン（Ｃ）を組み立てた状態を示す左側面図である。
【図４】本考案の一実施形態を示す図で、ケース本体（Ａ）と金属製放熱板（Ｂ）と金属製放熱フィン（Ｃ）を組み立てた状態を示す背面図である。
【考案を実施するための形態】
【００１７】
以下に、図１〜図４に沿って、本考案のタブレット型端末載置用の放熱性ケースについて詳細に説明する。
【００１８】
図１は、本考案の一実施形態を示す図で、タブレット型端末とケース本体（Ａ）と金属製放熱板（Ｂ）と金属製放熱フィン（Ｃ）を分解した状態を示す斜視図である。図２は、本考案の一実施形態を示す図で、ケース本体（Ａ）と金属製放熱板（Ｂ）と金属製放熱フィン（Ｃ）を組み立てた状態を示す斜視図である。
【００１９】
図１、２に示すように、本考案のタブレット型端末載置用の放熱性ケース１は、タブレット型端末２が載置されて固定されるケース本体（Ａ）と、タブレット型端末２から発生する熱を放熱する金属製放熱板（Ｂ）と、金属製放熱板（Ｂ）と熱導通され、金属製放熱板（Ｂ）の熱をタブレット型端末載置用の放熱性ケース１外に放熱する金属製放熱フィン（Ｃ）とを備えている。
【００２０】
ケース本体（Ａ）は、表面に画面が露出されたタブレット型端末２がその裏面３で載置される基板部４と、タブレット型端末２が少なくとも２辺で保持されるように基板部４の側部に配置された固定部５と、保持されたタブレット型端末２に接続するように固定部５に具備された端子部６を有している。
【００２１】
基板部４には、タブレット型端末２の裏面３より小さな面積の貫通孔７と、この貫通孔７を挟むように設けられた１対の支持脚８と、タブレット型端末２の操作時には、支持脚８よりも手前となる位置に延設されたハンドグリップ９が設けられている。
【００２２】
貫通孔７には金属製放熱板（Ｂ）が挿入支持され、ケース本体（Ａ）の基板部４の裏面側には金属製放熱フィン（Ｃ）が配設されて金属製放熱板（Ｂ）と熱導通され、金属製放熱フィン（Ｃ）より放熱可能とされている。
【００２３】
金属製放熱フィン（Ｃ）は、基板１２とフィン１３からなり、基板１２は表面が平坦であっても、中央部分が凸形状を備えていてもよい。
【００２４】
また、金属製放熱板（Ｂ）と金属製放熱フィン（Ｃ）の基板１２との接触面の面積は、所望の放熱性が得られる限り、同一であっても、異なっていてもよい。
【００２５】
そして、貫通孔７の開口部面積は、金属製放熱板（Ｂ）と同一の大きさであってもよいし、図１、２に示すように金属製放熱フィン（Ｃ）の基板１２または基板１２の凸形状を備えた中央部分と同一の大きさでもよい。貫通孔７の開口部面積が、金属製放熱板（Ｂ）と同一の大きさである場合、基板部４の裏側に金属製放熱板（Ｂ）を支持するための支持片を設けてもよい。また。貫通孔７の開口部面積については、図１、２に示すように金属製放熱フィン（Ｃ）の基板１２の凸形状を備えた中央部分と同一の大きさと、金属製放熱板（Ｂ）と同一の大きさとの段差加工を行い、この段差加工された上側部分に金属製放熱板（Ｂ）を挿入し、金属製放熱板（Ｂ）を支持することが可能である。これらの金属製放熱板（Ｂ）の支持方法を採用することによって、タブレット型端末２が載置される基板部４の表面と金属製放熱板（Ｂ）が面一となり、見た目にも優れたタブレット型端末載置用の放熱性ケース１を得ることができる。
【００２６】
ケース本体（Ａ）は、熱可塑性樹脂を加熱加圧成形することによって得られる。熱可塑性樹脂は、安価かつ加工性が容易であれば特に限定されない。例えば、ポリプロピレン、ポリカーボネート、ポリウレタン等が例示される。
【００２７】
ケース本体（Ａ）の成形法としては、射出成形、圧縮成形の各種の方法が考慮される。
【００２８】
固定部５は、その内周部にタブレット型端末２の当接長さを可変とするすべり出しを備えていることが好ましい。これにより、本考案のタブレット型端末載置用の放熱性ケース１は、様々な大きさのタブレット型端末２を保持することが可能となる。
【００２９】
また、固定部５には、保持されたタブレット型端末２に接続するように端子部６が具備されている。上記端子部６は、タブレット型端末２の充電、音声出力、データ転送等の機能を備えていることが好ましい。タブレット型端末２は、大画面化が進んでいるため、従来の携帯電話端末と比較して消費電力が大きく、頻繁に充電をする必要がある。本考案のタブレット型端末載置用の放熱性ケース１は、上記端子部６を備えていることにより、タブレット型端末２をタブレット型端末載置用の放熱性ケース１に保持したまま、タブレット型端末２の充電、音声出力、データ転送等を行うことが可能である。
【００３０】
さらにまた、前記ケース本体（Ａ）の側面部には、タブレット型端末２の外部拡張端子１０に物理的に接続可能な側面開口部１１を備えることが好ましい。これにより、タブレット型端末２を本考案のタブレット型端末載置用の放熱性ケースに保持したまま、イヤフォンや充電用ケーブル等の周辺機器をタブレット型端末２の外部拡張端子１０に物理的に接続することが可能となる。
【００３１】
図３は、本考案の一実施形態を示す図で、タブレット型端末とケース本体（Ａ）と金属製放熱板（Ｂ）と金属製放熱フィン（Ｃ）を組み立てた状態を示す左側面図である。図４は、本考案の一実施形態を示す図で、ケース本体（Ａ）と金属製放熱板（Ｂ）と金属製放熱フィン（Ｃ）を組み立てた状態を示す背面図である。
【００３２】
支持脚８は、本考案のタブレット型端末載置用の放熱性ケース１を机の天板や床面などの平坦な面に設置して使用するための構成である。タブレット型端末載置用の放熱性ケース１を上記のように平坦な面に設置して使用する際には、設置面からの支持脚８の高さが、金属製放熱フィン（Ｃ）の高さよりも高いことが好ましい。これにより、図３、４に示すように支持脚８の設置面と放熱フィンの下端との間に常に空間が生じ、タブレット型端末載置用の放熱性ケース１の裏面に熱がこもるのを未然に防ぐことが可能である。
【００３３】
ハンドグリップ９は、使用者がタブレット型端末２を操作する際に両手で把持するための構成である。ハンドグリップ９は、ケース本体（Ａ）とは別体に成形し、回転軸を設けるなどして回動可能としてもよい。ハンドグリップ９が回動することによって、タブレット型端末２の画面を立設させるスタンドの脚として用いることも可能である。
【００３４】
また、支持脚８とハンドグリップ９はケース本体（Ａ）と一体成形であっても、独立成形であってもよい。
【００３５】
金属製放熱板（Ｂ）は、ケース本体（Ａ）の基板部４に設けられた、タブレット型端末２の裏面３よりも小さな面積の貫通孔７に挿入支持され、タブレット型端末２の裏面３と当接し、タブレット端末２から発生する熱を放熱する。
【００３６】
また、金属製放熱板（Ｂ）の厚みとしては、例えば、１．５ｍｍ〜２．０ｍｍの範囲が例示される。金属製放熱板（Ｂ）の厚みが上記範囲内にあれば、所望の熱伝導性が得られ、またタブレット型端末２を長時間にわたってゲーム等に使用する際に不必要に重みを感じることがない。
【００３７】
金属製放熱板（Ｂ）は、熱伝導性の高い金属材料であれば特に限定されない。例えば、アルミ、銅等が例示される。加工の容易さや価格面を考慮すれば、アルミを用いることが好ましい。
【００３８】
また、金属製放熱フィン（Ｃ）は、金属製放熱板（Ｂ）と同様に、熱伝導性の高い金属材料であれば特に限定されない。例えば、アルミ、銅等が例示される。加工の容易性や価格面を考慮すれば、アルミを用いることが好ましい。
【００３９】
前記金属製放熱板（Ｂ）の裏面と前記金属製放熱フィン（Ｃ）の基板との間には、伝熱性樹脂の層を介在させることが好ましい。伝熱性樹脂は、熱伝導性を備えた樹脂であれば特に限定されない。例えば、熱伝導性エポキシ樹脂、熱伝導性シリコーン樹脂等が例示される。
【００４０】
また、伝熱性樹脂には、必要に応じて銀粉やセラミックス微粉末等のフィラーを添加することができる。金属製放熱板（Ｂ）の裏面と金属製放熱フィン（Ｃ）の基板１２との間に、このような伝熱性樹脂の層を介在させることによって、金属製放熱板（Ｂ）から金属製放熱フィン（Ｃ）への熱導通が効率よく行われる。
【００４１】
伝熱性樹脂の層は、金属製性放熱板（Ｂ）の裏面と金属製放熱フィン（Ｃ）の基板１２の少なくとも一方に伝熱性樹脂を塗布する等して形成することができる。
【００４２】
ケース本体（Ａ）の基板部の裏面側に金属製放熱フィン（Ｃ）を配設する際には、ケース本体（Ａ）の基板部の裏面側から表面側に向けネジ留めすることによって固定してもよい。
【００４３】
なお、本考案は上記の実施形態によって限定されるものではない。ケース本体（Ａ）の支持脚８およびハンドグリップ９の構成や構造、金属製放熱板（Ｂ）や金属製放熱フィン（Ｃ）の構成や構造等の細部については様々な態様が可能である。
【産業上の利用可能性】
【００４４】
本考案のタブレット型端末載置用の放熱性ケースは、タブレット型端末を保持するケースで効率よく放熱することができるとともに、長時間でも不快感を覚えることなく使用できる。
【符号の説明】
【００４５】
（Ａ）  ケース本体
（Ｂ）  金属製放熱板
（Ｃ）  金属製放熱フィン
１  タブレット型端末載置用の放熱性ケース
２  タブレット型端末
３  タブレット端末２の裏側
４  基板部
５  固定部
６  端子部
７  貫通孔
８  支持脚
９  ハンドグリップ
１０  タブレット型端末２の外部拡張端子
１１  側面開口部
１２  基板
１３  フィン
【図１】
0003192387.tif 000003
【図２】
0003192387.tif 000004
【図３】
0003192387.tif 000005
【図４】
0003192387.tif 000006